【手続補正書】
【提出日】平成16年5月21日(2004.5.21)
【手続補正１】
【補正対象書類名】明細書
【補正対象項目名】発明の名称
【補正方法】変更
【補正の内容】
【発明の名称】マルチメディアデータ検索システム、マルチメディア検索方法および該検索方法を実現するためのプログラム
【手続補正２】
【補正対象書類名】明細書
【補正対象項目名】特許請求の範囲
【補正方法】変更
【補正の内容】
【特許請求の範囲】
【請求項１】
各マルチメディアデータにそれぞれ、少なくとも１つのキーワードを対応付けて記憶するデータベースと、
クエリとなるキーワードを入力する入力手段と、
該入力手段によってキーワードが入力される度に、該キーワードを累積して記憶するクエリキーワード記憶手段と、
前記入力手段によって入力されたキーワードに基づいて、マルチメディアデータを検索する検索手段と、
該検索手段によって所望のマルチメディアデータが検索されたときに、前記クエリキーワード記憶手段に記憶されているキーワードを、当該マルチメディアデータに対する検索用キーワードとして、前記データベースに追加登録する検索用キーワード追加登録手段と
を有することを特徴とするマルチメディアデータ検索システム。
【請求項２】
各マルチメディアデータにそれぞれ、少なくとも１つのキーワードを含むメタデータを対応付けて記憶するデータベースと、
クエリとなるキーワードを入力する入力手段と、
該入力手段によってキーワードが入力される度に、該キーワードを累積して記憶するクエリキーワード記憶手段と、
前記入力手段によって入力されたキーワードに基づいて、マルチメディアデータを検索する検索手段と、
該検索手段によって所望のマルチメディアデータが検索されたときに、前記クエリキーワード記憶手段に記憶されているキーワードを、当該マルチメディアデータに対応するメタデータに追加登録するメタデータ追加登録手段と
を有することを特徴とするマルチメディアデータ検索システム。
【請求項３】
前記データベースは、検索を行うユーザごとに用意されることを特徴とする請求項１または２に記載のマルチメディアデータ検索システム。
【請求項４】
前記検索手段によって検索されたマルチメディアデータの一覧を表示する一覧表示手段と、
前記一覧表示手段によって表示されたマルチメディアデータの中から所望のマルチメディアデータを選択する選択手段とをさらに有し、
前記検索用キーワード追加登録手段は、前記選択手段によってマルチメディアデータが選択されたときに、追加登録を行う
ことを特徴とする請求項１または２に記載のマルチメディアデータ検索システム。
【請求項５】
前記クエリキーワード記憶手段に記憶されているクエリキーワードを消去する消去手段とをさらに有することを特徴とする請求項１または２に記載のマルチメディアデータ検索システム。
【請求項６】
前記検索用キーワード追加登録手段は、検索用キーワードを前記データベースに追加登録するときに、クエリキーワード記憶手段に記憶されているクエリキーワードのうち、任意の一部のクエリキーワードのみを追加登録することを特徴とする請求項１に記載のマルチメディアデータ検索システム。
【請求項７】
前記メタデータ追加登録手段は、キーワードを当該メタデータに追加登録するときに、クエリキーワード記憶手段に記憶されているクエリキーワードのうち、任意の一部のクエリキーワードのみを追加登録することを特徴とする請求項２に記載のマルチメディアデータ検索システム。
【請求項８】
上記メタデータは、当該マルチメディアデータとは、別のファイルとして保存されており、当該マルチメディアデータと、リンクで結ばれていることを特徴とする請求項２に記載のマルチメディアデータ検索システム。
【請求項９】
各マルチメディアデータにそれぞれ、少なくとも１つのキーワードを対応付けて記憶するデータベースに基づいて、所望のマルチメディアデータを検索するマルチメディアデータ検索方法において、
クエリとなるキーワードを入力する入力ステップと、
該入力ステップによってキーワードが入力される度に、該キーワードを累積してクエリキーワード記憶手段に記憶する記憶ステップと、
前記入力ステップによって入力されたキーワードに基づいて、マルチメディアデータを検索する検索ステップと、
該検索ステップによって所望のマルチメディアデータが検索されたときに、前記クエリキーワード記憶手段に記憶されているキーワードを、当該マルチメディアデータに対する検索用キーワードとして、前記データベースに追加登録する検索用キーワード追加登録ステップと
を有することを特徴とするマルチメディアデータ検索方法。
【請求項１０】
各マルチメディアデータにそれぞれ、少なくとも１つのキーワードを含むメタデータを対応付けて記憶するデータベースに基づいて、所望のマルチメディアデータを検索するマルチメディアデータ検索方法において、
クエリとなるキーワードを入力する入力ステップと、
該入力ステップによってキーワードが入力される度に、該キーワードを累積してクエリキーワード記憶手段に記憶する記憶ステップと、
前記入力ステップによって入力されたキーワードに基づいて、マルチメディアデータを検索する検索ステップと、
該検索ステップによって所望のマルチメディアデータが検索されたときに、前記クエリキーワード記憶手段に記憶されているキーワードを、当該マルチメディアデータに対応するメタデータに追加登録するメタデータ追加登録ステップと
を有することを特徴とするマルチメディアデータ検索方法。
【請求項１１】
各マルチメディアデータにそれぞれ、少なくとも１つのキーワードを対応付けて記憶するデータベースに基づいて、所望のマルチメディアデータを検索するマルチメディアデータ検索方法を、コンピュータに実現させるためのプログラムであって、
前記マルチメディアデータ検索方法は、
クエリとなるキーワードを入力する入力ステップと、
該入力ステップによってキーワードが入力される度に、該キーワードを累積してクエリキーワード記憶手段に記憶する記憶ステップと、
前記入力ステップによって入力されたキーワードに基づいて、マルチメディアデータを検索する検索ステップと、
該検索ステップによって所望のマルチメディアデータが検索されたときに、前記クエリキーワード記憶手段に記憶されているキーワードを、当該マルチメディアデータに対する検索用キーワードとして、前記データベースに追加登録する検索用キーワード追加登録ステップと
を有することを特徴とするプログラム。
【請求項１２】
各マルチメディアデータにそれぞれ、少なくとも１つのキーワードを含むメタデータを対応付けて記憶するデータベースに基づいて、所望のマルチメディアデータを検索するマルチメディアデータ検索方法を、コンピュータに実現させるためのプログラムであって、
前記マルチメディアデータ検索方法は、
クエリとなるキーワードを入力する入力ステップと、
該入力ステップによってキーワードが入力される度に、該キーワードを累積してクエリキーワード記憶手段に記憶する記憶ステップと、
前記入力ステップによって入力されたキーワードに基づいて、マルチメディアデータを検索する検索ステップと、
該検索ステップによって所望のマルチメディアデータが検索されたときに、前記クエリキーワード記憶手段に記憶されているキーワードを、当該マルチメディアデータに対応するメタデータに追加登録するメタデータ追加登録ステップと
を有することを特徴とするプログラム。
【手続補正３】
【補正対象書類名】明細書
【補正対象項目名】０００７
【補正方法】変更
【補正の内容】
【０００７】
上記目的を達成するため、請求項１に記載のマルチメディアデータ検索システムは、各マルチメディアデータにそれぞれ、少なくとも１つのキーワードを対応付けて記憶するデータベースと、クエリとなるキーワードを入力する入力手段と、該入力手段によってキーワードが入力される度に、該キーワードを累積して記憶するクエリキーワード記憶手段と、前記入力手段によって入力されたキーワードに基づいて、マルチメディアデータを検索する検索手段と、該検索手段によって所望のマルチメディアデータが検索されたときに、前記クエリキーワード記憶手段に記憶されているキーワードを、当該マルチメディアデータに対する検索用キーワードとして、前記データベースに追加登録する検索用キーワード追加登録手段とを有することを特徴とする。
上記目的を達成するため、請求項２に記載のマルチメディアデータ検索システムは、各マルチメディアデータにそれぞれ、少なくとも１つのキーワードを含むメタデータを対応付けて記憶するデータベースと、クエリとなるキーワードを入力する入力手段と、該入力手段によってキーワードが入力される度に、該キーワードを累積して記憶するクエリキーワード記憶手段と、前記入力手段によって入力されたキーワードに基づいて、マルチメディアデータを検索する検索手段と、該検索手段によって所望のマルチメディアデータが検索されたときに、前記クエリキーワード記憶手段に記憶されているキーワードを、当該マルチメディアデータに対応するメタデータに追加登録するメタデータ追加登録手段とを有することを特徴とする。
請求項３に記載のマルチメディアデータ検索システムは、請求項１または２のマルチメディアデータ検索システムにおいて、前記データベースは、検索を行うユーザごとに用意されることを特徴とする。
請求項４に記載のマルチメディアデータ検索システムは、請求項１または２のマルチメディアデータ検索システムにおいて、前記検索手段によって検索されたマルチメディアデータの一覧を表示する一覧表示手段と、前記一覧表示手段によって表示されたマルチメディアデータの中から所望のマルチメディアデータを選択する選択手段とをさらに有し、前記検索用キーワード追加登録手段は、前記選択手段によってマルチメディアデータが選択されたときに、追加登録を行うことを特徴とする。
請求項５に記載のマルチメディアデータ検索システムは、請求項１または２のマルチメディアデータ検索システムにおいて、前記クエリキーワード記憶手段に記憶されているクエリキーワードを消去する消去手段とをさらに有することを特徴とする。
請求項６に記載のマルチメディアデータ検索システムは、請求項１のマルチメディアデータ検索システムにおいて、前記検索用キーワード追加登録手段は、検索用キーワードを前記データベースに追加登録するときに、クエリキーワード記憶手段に記憶されているクエリキーワードのうち、任意の一部のクエリキーワードのみを追加登録することを特徴とする。
請求項７に記載のマルチメディアデータ検索システムは、請求項２のマルチメディアデータ検索システムにおいて、前記メタデータ追加登録手段は、キーワードを当該メタデータに追加登録するときに、クエリキーワード記憶手段に記憶されているクエリキーワードのうち、任意の一部のクエリキーワードのみを追加登録することを特徴とする。
請求項８に記載のマルチメディアデータ検索システムは、請求項２のマルチメディアデータ検索システムにおいて、上記メタデータは、当該マルチメディアデータとは、別のファイルとして保存されており、当該マルチメディアデータと、リンクで結ばれていることを特徴とする。
上記目的を達成するため、請求項９に記載のマルチメディアデータ検索方法は、各マルチメディアデータにそれぞれ、少なくとも１つのキーワードを対応付けて記憶するデータベースに基づいて、所望のマルチメディアデータを検索するマルチメディアデータ検索方法において、クエリとなるキーワードを入力する入力ステップと、入力ステップによってキーワードが入力される度に、該キーワードを累積してクエリキーワード記憶手段に記憶する記憶ステップと、前記入力ステップによって入力されたキーワードに基づいて、マルチメディアデータを検索する検索ステップと、該検索ステップによって所望のマルチメディアデータが検索されたときに、前記クエリキーワード記憶手段に記憶されているキーワードを、当該マルチメディアデータに対する検索用キーワードとして、前記データベースに追加登録する検索用キーワード追加登録ステップとを有することを特徴とする。
上記目的を達成するため、請求項１０に記載のマルチメディアデータ検索方法は、各マルチメディアデータにそれぞれ、少なくとも１つのキーワードを含むメタデータを対応付けて記憶するデータベースに基づいて、所望のマルチメディアデータを検索するマルチメディアデータ検索方法において、クエリとなるキーワードを入力する入力ステップと、該入力ステップによってキーワードが入力される度に、該キーワードを累積してクエリキーワード記憶手段に記憶する記憶ステップと、前記入力ステップによって入力されたキーワードに基づいて、マルチメディアデータを検索する検索ステップと、該検索ステップによって所望のマルチメディアデータが検索されたときに、前記クエリキーワード記憶手段に記憶されているキーワードを、当該マルチメディアデータに対応するメタデータに追加登録するメタデータ追加登録ステップとを有することを特徴とする。
上記目的を達成するため、請求項１１に記載のプログラムは、各マルチメディアデータにそれぞれ、少なくとも１つのキーワードを対応付けて記憶するデータベースに基づいて、所望のマルチメディアデータを検索するマルチメディアデータ検索方法を、コンピュータに実現させるためのプログラムであって、前記マルチメディアデータ検索方法は、クエリとなるキーワードを入力する入力ステップと、該入力ステップによってキーワードが入力される度に、該キーワードを累積してクエリキーワード記憶手段に記憶する記憶ステップと、前記入力ステップによって入力されたキーワードに基づいて、マルチメディアデータを検索する検索ステップと、該検索ステップによって所望のマルチメディアデータが検索されたときに、前記クエリキーワード記憶手段に記憶されているキーワードを、当該マルチメディアデータに対する検索用キーワードとして、前記データベースに追加登録する検索用キーワード追加登録ステップとを有することを特徴とする。
上記目的を達成するため、請求項１２に記載のプログラムは、各マルチメディアデータにそれぞれ、少なくとも１つのキーワードを含むメタデータを対応付けて記憶するデータベースに基づいて、所望のマルチメディアデータを検索するマルチメディアデータ検索方法を、コンピュータに実現させるためのプログラムであって、前記マルチメディアデータ検索方法は、クエリとなるキーワードを入力する入力ステップと、該入力ステップによってキーワードが入力される度に、該キーワードを累積してクエリキーワード記憶手段に記憶する記憶ステップと、前記入力ステップによって入力されたキーワードに基づいて、マルチメディアデータを検索する検索ステップと、該検索ステップによって所望のマルチメディアデータが検索されたときに、前記クエリキーワード記憶手段に記憶されているキーワードを、当該マルチメディアデータに対応するメタデータに追加登録するメタデータ追加登録ステップとを有することを特徴とする。
【手続補正４】
【補正対象書類名】明細書
【補正対象項目名】００７９
【補正方法】削除
【補正の内容】
【手続補正５】
【補正対象書類名】明細書
【補正対象項目名】００８０
【補正方法】削除
【補正の内容】
【手続補正６】
【補正対象書類名】明細書
【補正対象項目名】００８１
【補正方法】削除
【補正の内容】
【手続補正７】
【補正対象書類名】明細書
【補正対象項目名】００８２
【補正方法】削除
【補正の内容】
【手続補正８】
【補正対象書類名】明細書
【補正対象項目名】００８３
【補正方法】削除
【補正の内容】
【手続補正９】
【補正対象書類名】明細書
【補正対象項目名】００８４
【補正方法】削除
【補正の内容】
【手続補正１０】
【補正対象書類名】明細書
【補正対象項目名】００８５
【補正方法】削除
【補正の内容】
【手続補正１１】
【補正対象書類名】明細書
【補正対象項目名】００８６
【補正方法】削除
【補正の内容】
【手続補正１２】
【補正対象書類名】明細書
【補正対象項目名】００８７
【補正方法】削除
【補正の内容】
【手続補正１３】
【補正対象書類名】明細書
【補正対象項目名】００８８
【補正方法】削除
【補正の内容】
【手続補正１４】
【補正対象書類名】明細書
【補正対象項目名】００８９
【補正方法】削除
【補正の内容】
【手続補正１５】
【補正対象書類名】明細書
【補正対象項目名】００９０
【補正方法】削除
【補正の内容】
【手続補正１６】
【補正対象書類名】明細書
【補正対象項目名】００９１
【補正方法】削除
【補正の内容】
【手続補正１７】
【補正対象書類名】明細書
【補正対象項目名】００９２
【補正方法】削除
【補正の内容】
【手続補正１８】
【補正対象書類名】明細書
【補正対象項目名】００９３
【補正方法】削除
【補正の内容】
【手続補正１９】
【補正対象書類名】明細書
【補正対象項目名】００９４
【補正方法】削除
【補正の内容】